(57)【要約】    【構成】携帯電話機１０は、ディスプレイ１８などを備え、ディスプレイ１８はフロントパネル１６に貼り付けられる。二次電池４４はインナシャーシ４２に設けられるシールド板４０を隔てて、ディスプレイ１８の裏側に配置される。取り付け枠１４に形成される第１スピーカホルダ４６ａおよび第２スピーカホルダ４６ｂには第１フィルムスピーカ３０ａおよび第２フィルムスピーカ３０ｂが貼り付けられている。そして、第１フィルムスピーカ３０ａおよび第２フィルムスピーカ３０ｂは、二次電池４４の裏側に配置された状態となる。    【効果】フィルムスピーカを採用し、かつ二次電池の裏側にフィルムスピーカを配置することによって、携帯電話機１０全体を薄型化することができる。【選択図】図３
2015103959.tif 000002
【特許請求の範囲】
【請求項１】
ディスプレイ、
前記ディスプレイの裏側に配置される電池、および
前記電池の裏側に配置されるフィルムスピーカを備える、携帯端末。
【請求項２】
前記電池の裏側において前記フィルムスピーカを保持するスピーカホルダをさらに備える、請求項１記載の携帯端末。
【請求項３】
前記スピーカホルダは、前記フィルムスピーカを内側に配置し、かつ前記フィルムスピーカの厚みよりも高いリブを含み、前記リブの上端面が電池と対向する、請求項２記載の携帯端末。
【請求項４】
前記リブの少なくとも一部に、切欠きが形成される、請求項３記載の携帯端末。
【請求項５】
前記リブを前記電池に固定する固定部をさらに備える、請求項３または４記載の携帯端末。
【請求項６】
前記フィルムスピーカは、第１フィルムスピーカおよび第２フィルムスピーカを含み、
前記スピーカホルダは、第１フィルムスピーカを保持する第１スピーカホルダおよび第２フィルムスピーカを保持する第２スピーカホルダを含む、請求項２ないし５のいずれかに記載の携帯端末。
【請求項７】
間隔を隔てて配置される第１対の枠部材および前記第１対の枠部材を連結する第２対の枠部材を含む取り付け枠をさらに備え、
前記第１スピーカホルダおよび前記第２スピーカホルダは、前記第１対の枠部材のそれぞれの内側から内方に延びて互いに対向するように形成される、請求項６記載の携帯端末。
【請求項８】
前記第１スピーカホルダおよび第２スピーカホルダの対向する側端どうしを連結する連結部材をさらに備える、請求項７記載の携帯端末。
【請求項９】
第１部分、第２部分および前記第１部分と前記第２部分とを繋ぐ第３部分を含む基板をさらに備え、
前記基板は、第３部分が第１スピーカホルダと第２スピーカホルダとの間を通り、前記第１フィルムスピーカおよび前記第２フィルムスピーカと同じまたは略同じ面内に配置され、
前記連結部材は前記基板の前記第３部分を跨いで前記第１スピーカホルダと前記第２スピーカホルダとを連結する、請求項８記載の携帯端末。
【請求項１０】
前記ディスプレイの裏側において前記電池を保持する電池保持部をさらに備え、
前記電池保持部は、前記電池を保持した状態で前記取り付け枠に取り付けられる、請求項７ないし９のいずれかに記載の携帯端末。
【請求項１１】
放音孔を形成したバックパネルをさらに備える、請求項１ないし１０のいずれかに記載の携帯端末。
【発明の詳細な説明】
【技術分野】
【０００１】
この発明は携帯端末に関し、特にスピーカを内蔵した、携帯端末に関する。
【背景技術】
【０００２】
背景技術の一例が特許文献１に開示されている。この特許文献１の携帯端末装置では、筐体の角部にスピーカを任意の角度で配置することで、携帯端末装置の小型化・薄型化を実現している。
【特許文献１】特開2012-227836号公報［H04R 1/02, H04M 1/03, H04M 1/02］
【発明の概要】
【発明が解決しようとする課題】
【０００３】
近年の携帯端末の開発では二次電池の大型化などに伴い、筐体内部のスペース確保が問題となっている。その問題に対処できるように、特許文献１のようにダイナミックスピーカの配置を工夫することが考えられる。ところが、筐体の角にダイナミックスピーカを配置すると、携帯端末装置の厚さがダイナミックスピーカの大きさによって決まり、全体として厚みが厚くなってしまう。
【０００４】
それゆえに、この発明の主たる目的は、新規な、携帯端末を提供することである。
【０００５】
この発明の他の目的は、全体の厚さを薄くすることが出来る、携帯端末を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、ディスプレイ、ディスプレイの裏側に配置される電池、および電池の裏側に配置されるフィルムスピーカを備える、携帯端末である。
【０００８】
第１の発明では、携帯端末（１０：実施例において対応する部分を例示する参照符号。以下、同じ。）のディスプレイ（１８）は、たとえばフロントパネル（１６）の裏側に貼り付けられる。また、ディスプレイの裏側には、たとえばシールド板（４０）を隔てて、電池（４４）が配置される。たとえば、電池は充放電を繰り返して行うことが出来る二次電池である。そして、フィルムスピーカ（３０ａ，３０ｂ）が電池の裏側に配置される。
【０００９】
第１の発明によれば、フィルムスピーカを採用し、かつ電池の裏側にフィルムスピーカを配置することによって、携帯端末全体を薄型化することができる。
【００１０】
第２の発明は、第１の発明に従属し、電池の裏側においてフィルムスピーカを保持するスピーカホルダをさら備える。
【００１１】
第２の発明では、フィルムスピーカは、スピーカホルダ（４６ａ，４６ｂ）によって電池の裏側で保持される。
【００１２】
第２の発明によれば、フィルムスピーカがスピーカホルダによって電池の裏側に安定的に保持される。
【００１３】
第３の発明は、第２の発明に従属し、スピーカホルダは、フィルムスピーカを内側に配置し、かつフィルムスピーカの厚みよりも高いリブを含み、リブの上端面が電池と対向する。
【００１４】
第３の発明では、スピーカホルダのリブ（９０）が、たとえばフィルムスピーカの周囲を囲んだ状態で、フィルムスピーカを保持し、かつリブの上端面が電池の裏面に対向する。
【００１５】
第３の発明によれば、リブの上端面が電池の裏面に対向するため、たとえば、二次電池である電池が充放電を繰り返すことによって経時的に膨れたとしても、リブがストッパのように機能して膨れた電池の主面にリブの上端面が接触するため、電池の主面はそれ以上にフィルムスピーカの方へ変位することは出来ず、したがって、リブによってフィルムスピーカと電池との間の間隙を安定的に確保することが出来る。
【００１６】
第４の発明は、第３の発明に従属し、リブの少なくとも一部に、切欠きが形成される。
【００１７】
第４の発明では、リブに、たとえば複数の切欠き（９２）が形成される。
【００１８】
第４の発明によれば、リブによってフィルムスピーカの周囲を囲ったとしても、切欠きを通して、フィルムスピーカを収容したリブの内側と外側とが連通するため、フィルムスピーカの背面容積を十分確保でき、フィルムスピーカの音響性能を向上させることが出来る。
【００１９】
第５の発明は、第３の発明または第４の発明に従属し、リブを電池に固定する固定部をさらに備える。
【００２０】
第５の発明では、たとえば接着剤のような固定部（９６）によって、リブの少なくとも一部が電池に固定される。
【００２１】
第５の発明によれば、リブが電池に固定されてリブと電池とが一体化されるので、スピーカホルダの剛性が電池の剛性で補強されてスピーカホルダの剛性が高まる。これにより、フィルムスピーカの振動に伴う、スピーカホルダの振動が抑制され、結果的に、フィルムスピーカの音圧レベルを向上できる。
【００２２】
第６の発明は、第２の発明ないし第５の発明のいずれかにに従属し、フィルムスピーカは、第１フィルムスピーカおよび第２フィルムスピーカを含み、スピーカホルダは、第１フィルムスピーカを保持する第１スピーカホルダおよび第２フィルムスピーカを保持する第２スピーカホルダを含む。
【００２３】
第６の発明では、第１フィルムスピーカ（３０ａ）および第２フィルムスピーカ（３０ｂ）のそれぞれは、第１スピーカホルダ（４６ａ）および第２スピーカホルダ（４６ｂ）によって保持される。
【００２４】
第６の発明によれば、２つのフィルムスピーカを有するため、ステレオ音声を再生することが可能になる。
【００２５】
第７の発明は、第６の発明に従属し、間隔を隔てて配置される第１対の枠部材および第１対の枠部材を連結する第２対の枠部材を含む取り付け枠をさらに備え、第１スピーカホルダおよび第２スピーカホルダは、第１対の枠部材のそれぞれの内側から内方に延びて互いに対向するように形成される。
【００２６】
第７の発明では、第１スピーカホルダおよび第２スピーカホルダが第１対の枠部材（７０ａ，７０ｂ）のそれぞれの内側から内方に延びて対向する。第２対の枠部材（７２ａ，７２ｂ）は、たとえば第１対の枠部材の上下を連結する。そして、第１スピーカホルダおよび第２スピーカホルダによって第１フィルムスピーカおよび第２フィルムスピーカが保持される。
【００２７】
第７の発明によれば、第１フィルムスピーカおよび第２フィルムスピーカを電池の裏側に並置できるので、２つの音源が離れすぎることが無く、モノラル音声の再生でも、ステレオ音声の再生でも違和感を生じさせない。
【００２８】
第８の発明は、第７の発明に従属し、第１スピーカホルダおよび第２スピーカホルダの対向する側端どうしを連結する連結部材をさらに備える。
【００２９】
第８の発明では、たとえば第１スピーカホルダおよび第２スピーカホルダの内側端部どうしを連結部材（５６）で連結することにより、第１スピーカホルダおよび第２スピーカホルダを片持ち梁構造から両持ち梁構造のものにする。
【００３０】
第８の発明によれば、第１スピーカホルダおよび第２スピーカホルダが一体化されるので、それぞれの剛性が大きくなり、第１スピーカホルダおよび第２スピーカホルダ自体の振動が抑制されるので、第１フィルムスピーカおよび第２フィルムスピーカの音圧レベルを大きくすることが出来る。
【００３１】
第９の発明は、第８の発明に従属し、第１部分、第２部分および第１部分と第２部分とを繋ぐ第３部分を含む基板をさらに備え、基板は、第３部分が第１スピーカホルダと第２スピーカホルダとの間を通り、第１フィルムスピーカおよび第２フィルムスピーカと同じまたは略同じ面内に配置され、連結部材は基板の第３部分を跨いで第１スピーカホルダと第２スピーカホルダとを連結する。
【００３２】
第９の発明では、基板（４８）の第１部分（５０）は、たとえば第１スピーカホルダおよび第２スピーカホルダの上側に配置され、第２部分（５２）が第１スピーカホルダおよび第２スピーカホルダの下側に配置される。第３部分（５４）が第１スピーカホルダと第２スピーカホルダとの間を通るので、基板は第１フィルムスピーカおよび第２フィルムスピーカと同じまたは略同じ面内に配置されることになる。
【００３３】
第９の発明によれば、第１フィルムスピーカおよび第２フィルムスピーカと基板とを同じまたは略同じ面内に配置できるので、さらなる薄型化を可能にできる。その上、第３部分によって第１部分と第２部分とを繋ぎ、しかも第３部分を跨いで連結部材が第１スピーカホルダと第２スピーカホルダとを連結するので、基板の利用可能な面積を小さくすることなく、剛性の高い第１スピーカホルダおよび第２スピーカホルダを形成することができる。
【００３４】
第１０の発明は、第７の発明ないし第９の発明のいずれかに従属し、ディスプレイの裏側において電池を保持する電池保持部をさらに備え、電池保持部は、電池を保持した状態で取り付け枠に取り付けられる。
【００３５】
第１０の発明では、電池保持部（４２）は、たとえば樹脂枠を含み、電池を保持するための凹部が形成される。電池保持部は電池を保持した状態で、取付け枠に取り付けられる。このとき、電池の裏側には、第１フィルムスピーカおよび第２フィルムスピーカが配置される。
【００３６】
第１０の発明によれば、電池が電池保持部によってディスプレイの裏側に安定的に保持される。
【００３７】
第１１の発明は、第１の発明ないし第１０の発明のいずれかに従属し、放音孔が形成されたバックパネルをさらに備える。
【００３８】
第１１の発明では、バックパネル（１２）を取り付けることで、閉塞空間を形成し、フィルムスピーカ（第１フィルムスピーカ、第２フィルムスピーカ）からの音が放音孔から閉塞空間外へ放出される。
【発明の効果】
【００３９】
この発明の一態様によれば、携帯端末の厚みを全体として薄くすることが出来る。
【００４０】
この発明の上述の目的、その他の目的、特徴および利点は、図面を参照して行う以下の実施例の詳細な説明から一層明らかとなろう。
【図面の簡単な説明】
【００４１】
【図１】図１はこの発明の一実施例の携帯電話機の外観の一例を示す外観図であり、図１（Ａ）は携帯電話機の表面の外観を示し、図１（Ｂ）は携帯電話機の裏面の外観を示す。
【図２】図２は図１に示す携帯電話機に内蔵されるフィルムスピーカの構造の一例を示す図解図であり、図２（Ａ）はフィルムスピーカを正面から見た外観の一例を示し、図２（Ｂ）は図２（Ａ）に示す線ＩＩ（Ｂ）−ＩＩ（Ｂ）における断面の一例を示す。
【図３】図３は図１に示す携帯電話機の内部構造の概要の一例を示す分解斜視図である。
【図４】図４は図２に示す取り付け枠の構造の一例を示す図解図であり、図４（Ａ）は取り付け枠を表側から見た状態を示し、図４（Ｂ）は取り付け枠を裏側から見た状態を示す。
【図５】図５は図２に示す取り付け枠に、必要な部品が取り付けられた状態の例を示す図解図であり、図５（Ａ）は第１フィルムスピーカおよび第２フィルムスピーカが貼り付けられた取り付け枠の表側を示し、図５（Ｂ）は第１フィルムスピーカおよび第２フィルムスピーカが貼り付けられた取り付け枠の裏側を示し、図５（Ｃ）は基板が配置された状態を示し、図５（Ｄ）は連結部材によって第１スピーカホルダと第２スピーカホルダとの互いに対向する内側端部どうしが連結された状態を示す。
【図６】図６は図５（Ｄ）に示す線ＶＩ−ＶＩにおける断面の一例を示す。
【図７】図７は図５に示す取り付け枠にインナシャーシが嵌め込まれた状態の一例を示し、図７（Ａ）は図５（Ｄ）に示す取り付け枠にインナシャーシが嵌め込まれる前の状態を示し、図７（Ｂ）は図７（Ａ）に示す取り付け枠にインナシャーシが嵌め込まれた後の状態を示す。
【図８】図８は図７（Ｂ）に示す線ＶＩＩＩ−ＶＩＩＩにおける断面の一例を示す。
【図９】図９は図４（Ａ）に示す第１スピーカホルダおよび第２スピーカホルダの詳細を示す拡大図であり、図９（Ａ）は取り付け枠の表側から見た第１スピーカホルダおよび第２スピーカホルダが拡大された状態の一例を示し、図９（Ｂ）は図９（Ａ）に示す第１スピーカホルダおよび第２スピーカホルダに第１フィルムスピーカおよび第２フィルムスピーカが貼り付けられた状態の一例を示す。
【図１０】図１０は図９（Ｂ）に示す第１スピーカホルダおよび第２スピーカホルダを裏側から見た状態であり、かつ取り付け枠の表側に二次電池が配置されている状態の一例を示す図解図である。
【図１１】図１１は図１０に示す線ＸＩ−ＸＩにおける断面の一例を示す。
【図１２】図１２は図１０に示す線ＸＩ−ＸＩにおける断面の他の実施例の一例を示す。
【発明を実施するための形態】
【００４２】
図１（Ａ），（Ｂ）を参照して、この発明の一実施例の携帯電話機１０は、一例としてスマートフォン（smartphone）であり、その外観は、縦長の扁平矩形となる様にバックパネル１２、取り付け枠１４の一部およびフロントパネル１６によって形成される。なお、この発明は、スマートフォンだけでなく、タブレットＰＣや、ＰＤＡなど任意の携帯端末に適用可能であることを予め指摘しておく。
【００４３】
フロントパネル１６にはタッチパネル２０が一体的に形成されている。また、フロントパネル１６の裏面には、たとえば液晶や有機ＥＬなどで構成されるディスプレイ１８（表示部）が貼り付けられている。
【００４４】
携帯電話機１０の下側面の右側には内部に設けられるマイクに音声を入力するための孔２２が形成されている。携帯電話機１０の主面上側には音を振動に変換するピエゾ素子（図示せず）が内蔵されている。たとえば、ピエゾ素子に音声信号が入力されると、ピエゾ素子は音声信号を振動に変換し、ディスプレイ１８（フロントパネル１６）を直接振動させる。これにより、ユーザは、ディスプレイ１８から出力される音声を聞くことが出来る。なお、このようにして音声が出力されるため、たとえば受話音声を出力するための放音孔は設けられていない。
【００４５】
携帯電話機１０の裏面には第１フィルムスピーカ３０ａおよび第２フィルムスピーカ３０ｂ（後述）が内蔵されている。また、第１フィルムスピーカ３０ａおよび第２フィルムスピーカ３０ｂの音は、この実施例ではバックパネル１２の裏面に形成された２つの第１放音孔２４ａから出力されるだけでなく、バックパネル１２の側面に形成された２つの第２放音孔２４ｂからも出力される。
【００４６】
携帯電話機１０の下側面の中央には内部に設けられる充電端子（図示せず）に通じる孔２６が形成される。
【００４７】
たとえば、通話を行う操作が行われ音声通話が開始されると、上述のピエゾ素子の振動によってフロントパネル１６から受話音声が出力される。一方、ユーザの発話音声は、孔２２を通じてマイクに入力され、通話相手の電話機に送信される。他の電話機から着信が通知されると、着信音が内蔵のフィルムスピーカから出力される。なお、本実施例の携帯電話機１０には、第１フィルムスピーカ３０ａおよび第２フィルムスピーカ３０ｂを内蔵しているため、ステレオ音声を再生することも可能である。
【００４８】
また、孔２６を通じて充電コネクタが充電端子に接続されると、携帯電話機１０の二次電池４４（図３参照）には外部電源から充電用電力が供給される。
【００４９】
図２（Ａ）は本実施例で利用されるフィルムスピーカ３０を正面から見た外観の図解図であり、図２（Ｂ）は図２（Ａ）の線ＩＩ（Ｂ）−ＩＩ（Ｂ）における断面図である。なお、携帯電話機１０に内蔵する第１フィルムスピーカ３０ａおよび第２フィルムスピーカ３０ｂとしては、この図に示すフィルムスピーカ３０が用いられるので、ここでは第１フィルムスピーカおよび第２フィルムスピーカの区別をしないで説明し、以後両者を区別するときには３０ａおよび３０ｂの参照番号を用いることにする。
【００５０】
フィルムスピーカ３０は平面矩形であり、厚さはたとえば０．７ｍｍである。フィルムスピーカ３０は、同じく矩形のピエゾ素子３２を含み、ピエゾ素子３２は、音が出力される面、つまり正面（図２（Ａ））において、略中央となるように樹脂コーティング層３４によって樹脂コーティングされている。また、樹脂コーティング層３４の表面には樹脂フィルム３６が貼り付けられている。そして、これらを支えるためにフレーム３８がフィルムスピーカ３０の周縁に設けられている。このようなフィルムスピーカ３０のピエゾ素子３２に音声信号が与えられると、ピエゾ素子３２が振動し、その振動が樹脂コーティング層３４および樹脂フィルム３６などフィルムスピーカ３０全体に伝わり、フィルムスピーカ３０の正面から音が出力される。なお、フレーム３８は、フィルムスピーカ３０をスピーカホルダ４６（後述）上に固定する際に利用される。
【００５１】
図３は携帯電話機１０の内部構造の概要を示す分解斜視図である。図３を参照して、携帯電話機１０は、正面側（図３で言えば上側）からフロントパネル１６、ディスプレイ１８、インナシャーシ４２、二次電池４４、第１フィルムスピーカ３０ａおよび第２フィルムスピーカ３０ｂ、取り付け枠１４、基板４８、連結部材５６およびバックパネル１２の順番で各パーツが取り付けられる。なお、バックパネル１２を取り付けることによって、取り付け枠１４と協働して、このバックパネル１２の内部に閉塞空間が形成され、第１フィルムスピーカ３０ａ、第２フィルムスピーカ３０ｂからの音が第１放音孔２４ａおよび第２放音孔２４ｂから閉塞空間外へ放出される。
【００５２】
フロントパネル１６は、携帯電話機１０の主面であり、縦長の扁平矩形となるようにガラスで形成される。上述したように、フロントパネル１６の裏面にはタッチパネル２０が一体的に形成されている。ディスプレイ１８は、接着剤またはＯＣＡ(Optical Clear Adhesive：透明性接着)テープなどによってフロントパネル１６の裏面に接着される。
【００５３】
インナシャーシ４２は矩形の樹脂枠を含み、その枠内にほぼ全面を覆うよう金属（導電材料）製のシールド板４０が設けられている。インナシャーシ４２の枠の厚さは、シールド板４０と二次電池４４とを重ねた厚さと等しいか、それよりも僅かに薄くなるように形成されている。また、インナシャーシ４２の表側、つまりシールド板４０の表側には、上述のようにディスプレイ１８が貼り付けられたフロントパネル１６が配置される。一方、インナシャーシ４２の裏側には、二次電池４４を保持する（嵌め込む）ための凹部（図示せず）が形成される。したがって、二次電池４４は、シールド板４０を隔てて、ディスプレイ１８の裏側に配置される。つまり、二次電池４４がインナシャーシ４２によってディスプレイ１８の裏側に安定的に保持される。なお、インナシャーシ４２、特に樹脂枠は、電池保持部と呼ばれることもある。
【００５４】
図３と共に、図４（Ａ），（Ｂ）を参照して、取り付け枠１４は、フロントパネル１６や、インナシャーシ４２と同様の平面矩形であり、１対の縦枠７０（第１対の枠部材）および１対の横枠７２（第２対の枠部材）を含む枠が、以下に説明する各部とともに、樹脂成型によって形成されている。第１縦枠７０ａと第２縦枠７０ｂとは所定の間隔を隔てて配置され、第１横枠７２ａが１対の縦枠７０の上側を連結し、第２横枠７２ｂが１対の縦枠７０の下側を連結する。
【００５５】
第１縦枠７０ａおよび第２縦枠７０ｂのそれぞれの内側から内方に延びて互いに対向するように、共に平板状である第１スピーカホルダ４６ａおよび第２スピーカホルダ４６ｂが、形成される。第１スピーカホルダ４６ａおよび第２スピーカホルダ４６ｂの中央には、そこに保持される第１フィルムスピーカ３０ａおよび第２フィルムスピーカ３０ｂ（図５（Ｂ）など）の音を放出するために、たとえば６角形の放音孔７４が形成されている。
【００５６】
第１スピーカホルダ４６ａおよび第２スピーカホルダ４６ｂの表側の面の周縁には、後に詳しく説明するリブ９０（図９参照）が設けられる。なお、第１スピーカホルダ４６ａおよび第２スピーカホルダ４６ｂは、この実施例では平面矩形の板状に形成されたが、この第１スピーカホルダ４６ａおよび第２スピーカホルダ４６ｂの形状はこれに限らない。第１スピーカホルダ４６ａおよび第２スピーカホルダ４６ｂは、それぞれ少なくとも図２のフレーム３８を取り付け（貼り付け）られる領域があればよく。放音孔７４がもっと大きくても、もっと小さくてもよい。
【００５７】
取り付け枠１４の枠内には、インナシャーシ４２が嵌め込まれる。そのため、１対の縦枠７０および１対の横枠７２の内側は、インナシャーシ４２を嵌め込むことが可能な内壁面６０（図６、図８なども参照）として形成されている。つまり、内壁面６０がインナシャーシ４２の樹脂枠の外面と接触して、インナシャーシ４２が取り付け枠４２に嵌め込まれる。
【００５８】
また、取り付け枠１４の上側には、フロントパネル１６を収容して取り付けるための凹部６２および内壁面６４（共に図６、図８なども参照）が設けられる。この凹部６２より外方の部分６６（図６、図８なども参照）は、携帯電話機１０の外観（図１）として露出する露出部である。したがって、内壁面６４の内側でかつ凹部６２の中にフロントパネル１６が取り付けられたとき、フロントパネル１６と外方の部分６６とは同じまたは略同じ面（面一）となる。
【００５９】
第１横枠７２ａの内側から第１スピーカホルダ４６ａおよび第２スピーカホルダ４６ｂの上側端までの部分には、たとえばカメラモジュールなどの部品を組み付けるための組み付け部７６が設けられる。この組み付け部７６には配線などを通すための矩形の孔７８が形成されている。また、取り付け枠１４の裏側（図４（Ｂ））において、組み付け部７６には、図３に示すような形状の基板４８を配置するための２つの基板用凹部８０が形成されている。そして、図３からよくわかるように、第２横枠７０ｂの側面にはマイクに通じる孔２２ａおよび充電端子に通じる孔２６ａが形成されている。
【００６０】
図３に戻って、基板４８は樹脂やガラス繊維などで形成され、異形の第１部分５０、略矩形の第２部分５２および第１部分５０と第２部分５２とを繋ぐ細長い第３部分５４を含む。この基板４８には、所定の配線が形成されると共に、マイクなどの必要な部品が実装される。
【００６１】
ただし、基板４８の第１部分５０、第２部分５２および第３部分５４の形状やサイズは、実施例の形状やサイズに限定されるものではない。
【００６２】
連結部材５６は、樹脂などで形成され、左右に２つずつ係止部８２（図６参照）を有している。取り付け方の詳細な説明は後述するが、連結部材５６によって、第１スピーカホルダ４６ａと第２スピーカホルダ４６ｂとの互いに対向する内側端部どうしが連結される。
【００６３】
バックパネル１２は、図１に示すように、携帯電話機１０の側面および底面（裏面）を形成し、矩形の箱のような形状となるように樹脂で形成される。バックパネル１２の底面には第１放音孔２４ａが形成され、バックパネル１２の左右側面には第２放音孔２４ｂが形成される。また、バックパネル１２の下側面にはマイクに通じる孔２２ｂおよび充電端子に通じる孔２６ｂが形成される。
【００６４】
上述したインナシャーシ４２、二次電池４４、第１フィルムスピーカ３０ａ、第２フィルムスピーカ３０ｂ、取り付け枠１４、基板４８および連結部材５６は、取り付け枠１４に取り付けられる。そして、取り付け枠１４の表側にフロントパネル１６が取り付けられ、裏側にバックパネル１２が取り付けられる。
【００６５】
続いて、取り付け枠１４に部品を取り付ける手順を説明する。まず、図５（Ａ），（Ｂ）を参照して、取り付け枠１４の表側において、第１フィルムスピーカ３０ａおよび第２フィルムスピーカ３０ｂが、たとえば両面テープなどの接着手段によって第１スピーカホルダ４６ａおよび第２スピーカホルダ４６ｂに貼り付けられる。このとき、第１フィルムスピーカ３０ａおよび第２フィルムスピーカ３０ｂは、音を出力する面、つまり正面が対応する放音孔７４の方を向くように貼り付けられる。また、両面テープ（ＯＣＡテープ）などの接着手段は、第１フィルムスピーカ３０ａおよび第２フィルムスピーカ３０ｂの、図２に示すフレーム３８を対応する第１スピーカホルダ４６ａおよび第２スピーカホルダ４６ｂに接着する。そして、第１フィルムスピーカ３０ａおよび第２フィルムスピーカ３０ｂが第１スピーカホルダ４６ａおよび第２スピーカホルダ４６ｂに貼り付けられた状態で、取り付け枠１４を裏側から、各放音孔７４を通して第１フィルムスピーカ３０ａおよび第２フィルムスピーカ３０ｂを視認することが出来る。
【００６６】
図５（Ｃ），（Ｄ）を参照して、取り付け枠１４の裏側に基板４８が配置される。このとき、第１部分５０が組み付け部７６の一部と重なるように第１スピーカホルダ４６ａおよび第２スピーカホルダ４６ｂより上方に配置され、第２部分５２が第１スピーカホルダ４６ａおよび第２スピーカホルダ４６ｂより下方に配置される。そして、第３部分５４が第１スピーカホルダ４６ａと第２スピーカホルダ４６ｂとの間を通り、かつ第１フィルムスピーカ３０ａおよび第２フィルムスピーカ３０ｂと略同じ面となるように配置される。その結果、組み付け部７６に形成される孔７８および基板用凹部８０は、基板４８によって隠される。また、基板４８は第１フィルムスピーカ３０ａおよび第２フィルムスピーカ３０ｂを避けるように取り付け枠１４の裏側に配置されるため、第１フィルムスピーカ３０ａおよび第２フィルムスピーカ３０ｂの厚みが基板４８の厚みの中におさまる。つまり、第１フィルムスピーカ３０ａおよび第２フィルムスピーカ３０ｂと基板４８とを同じまたは略同じ面内に配置できるので、さらなる薄型化が可能である。その上、第３部分５４によって第１部分５０と第２部分５２とを繋ぎ、しかも第３部分５４を跨いで連結部材５６が第１スピーカホルダ３０ａと第２スピーカホルダ３０ｂとを連結するので、基板４８の利用可能な面積を小さくすることなく、剛性の高い第１スピーカホルダ４６ａおよび第２スピーカホルダ４６ｂを形成することができる。
【００６７】
次に、図５（Ｄ）のように、連結部材５６を、基板４８の第３部分５４の上から、第１スピーカホルダ４６ａと第２スピーカホルダ４６ｂとの対向する内側端部どうしを連結するように、第１スピーカホルダ４６ａおよび第２スピーカホルダ４６ｂに係止する。
【００６８】
詳しく言うと、図５（Ｄ）の線ＶＩ−ＶＩにおける断面図である図６を参照して、各係止部８２の先端には爪が設けられている。取り付け枠１４の裏側において、連結部材５６が上側から押し込まれると、係止部８２が一時的に内方に撓む。そして、連結部材５６がさらに押されて係止部８２の先端が取り付け枠１４の表側まで達すると、係止部８２の形状が元に戻る。このとき、係止部８２の先端に設けられた爪が第１スピーカホルダ４６ａおよび第２スピーカホルダ４６ｂの周縁に引っ掛かり、連結部材５６が第１スピーカホルダ４６ａおよび第２スピーカホルダ４６ｂとの間で固定される。
【００６９】
その結果、第１スピーカホルダ４６ａおよび第２スピーカホルダ４６ｂが連結部材５６によって強固に連結された状態となり、第１スピーカホルダ４６ａおよび第２スピーカホルダ４６ｂが片持ち梁構造（図４などの状態）から両持ち梁構造のものとなる。このように、第１スピーカホルダ４６ａおよび第２スピーカホルダ４６ｂが一体化されるので、それぞれの剛性が大きくなり、第１スピーカホルダ４６ａおよび第２スピーカホルダ４６ｂ自体の振動が抑制されるので、第１フィルムスピーカ３０ａおよび第２フィルムスピーカ３０ｂの音圧レベルを大きくすることが出来る。
【００７０】
たとえば、この連結部材５６によって第１スピーカホルダ４６ａおよび第２スピーカホルダ４６ｂが連結されていない場合、第１スピーカホルダ４６ａおよび第２スピーカホルダ４６ｂは片持ち梁構造のままであり、第１フィルムスピーカ３０ａおよび第２フィルムスピーカ３０ｂを支える構造の剛性が大きくない。この状態で第１フィルムスピーカ３０ａおよび第２フィルムスピーカ３０ｂから音声を出力すると、第１フィルムスピーカ３０ａおよび第２フィルムスピーカ３０ｂの振動に伴って第１スピーカホルダ４６ａおよび第２スピーカホルダ４６ｂも振動し、その振動が第１フィルムスピーカ３０ａおよび第２フィルムスピーカ３０ｂの振動を減殺する。これに対して、実施例のように連結部材５６によって第１スピーカホルダ４６ａおよび第２スピーカホルダ４６ｂを互いに連結して両持ち梁構造の状態にすれば、約３ｄＢの音圧改善が見られる。
【００７１】
また、図６に示すように、取り付け枠１４は中央から第１縦枠７０ａおよび第２縦枠７０ｂの方に向けて傾斜しており、中央部分が第１縦枠７０ａおよび第２枠７０ｂよりも高くなっている。そして、取り付け枠１４にバックパネル１２を取り付ける場合、連結部材５６に接着剤が塗布され、連結部材５６とバックパネル１２とが接着される。つまり、連結部材５６はバックパネル１２にも固定される。したがって、第１スピーカホルダ４６ａおよび第２スピーカホルダ４６ｂがバックパネル１２によっても補強されることになり、音圧のさらなる改善が期待できる。
【００７２】
なお、他の実施例では、連結部材５６に塗布される接着剤が流れ出ないようにするために、連結部材５６に凹部が形成されてもよい。
【００７３】
図７（Ａ）は図５（Ｄ）に示す取り付け枠にインナシャーシ４２が嵌め込まれる前の状態を示す図解図である。この状態では、孔７８、第１スピーカホルダ４６ａおよび第２スピーカホルダ４６ｂの下側には、基板４８の一部が見えている状態となる。また、第１スピーカホルダ４６ａの右側および第２スピーカホルダ４６ｂの左側には、連結部材５６の係止部８２の先端の爪が引っ掛かっている。なお、図７（Ａ）に示すように、係止部８２が第１スピーカホルダ４６ａおよび第２スピーカホルダ４６ｂの切欠き９２の一部に嵌まる様に、連結部材５６は第１スピーカホルダ４６ａと第２スピーカホルダ４６ｂとを連結する。
【００７４】
図７（Ｂ）を参照して、この状態で二次電池４４を保持するインナシャーシ４２が取り付け枠１４に嵌め込まれると、インナシャーシ４２によって基板４８、第１フィルムスピーカ３０ａ、第２フィルムスピーカ３０ｂ、第１スピーカホルダ４６ａおよび第２スピーカホルダ４６ｂなどが隠される。なお、図７（Ｂ）において、二次電池４４は点線で示される。
【００７５】
図７（Ｂ）の線ＶＩＩＩ−ＶＩＩＩにおける断面図である図８を参照すると、インナシャーシ４２によって二次電池４４が保持されている状態がよくわかる。また、二次電池４４は、取り付け枠１４およびシールド板４０に配置されているのでインナシャーシ４２から抜け落ちることはない。
【００７６】
そして、第１フィルムスピーカ３０ａおよび第２フィルムスピーカ３０ｂは第１スピーカホルダ４６ａおよび第２スピーカホルダ４６ｂによって二次電池４４の裏側で保持された状態となる。つまり、第１フィルムスピーカ３０ａおよび第２フィルムスピーカ３０ｂが第１スピーカホルダ４６ａおよび第２スピーカホルダ４６ｂによって二次電池４４の裏側に安定的に保持されている。
【００７７】
このとき、第１フィルムスピーカ３０ａおよび第２フィルムスピーカ３０ｂが二次電池４４の裏側に並置されるため、２つの音源が離れすぎることが無く、モノラル音声の再生でも、ステレオ音声の再生でも違和感が生じにくい。
【００７８】
このように、フィルムスピーカを採用し、かつ二次電池の裏側にフィルムスピーカを配置することによって、携帯電話機１０全体を薄型化することができる。
【００７９】
なお、図８に示すように、二次電池４４を保持するインナシャーシ４２が取り付け枠１４の内壁面６０に嵌め込まれる。また、インナシャーシ４２の枠は、その厚みがシールド板４０の厚みと二次電池４４の厚みの一部とを含むように形成されている。取り付け枠１４は、その厚みがシールド板４０の厚み、インナシャーシ４２の厚みおよび二次電池４４の厚みを含むように形成されている。そのため、二次電池４４が嵌め込まれたインナシャーシ４２が、取り付け枠１４に嵌め込まれたとしても、取り付け枠１４の厚さは変化しない。このような構造によっても、携帯電話機１０全体が薄型化されている。
【００８０】
図９（Ａ），（Ｂ）は、第１スピーカホルダ４６ｂおよび第２スピーカホルダ４６ｂの詳細を示す拡大図である。図９（Ａ）を参照して、第１スピーカホルダ４６ａおよび第２スピーカホルダ４６ｂの周縁はリブ９０によって囲われている。リブ９０の高さは、第１スピーカホルダ４６ａおよび第２スピーカホルダ４６ｂに貼り付けられた第１フィルムスピーカ３０ａおよび第２フィルムスピーカ３０ｂの厚み（高さ）よりも高くなるように設定されている。したがって、第１スピーカホルダ４６ａおよび第２スピーカホルダ４６ｂに第１フィルムスピーカ３０ａおよび第２フィルムスピーカ３０ｂが貼り付けられたとき、リブ９０が第１フィルムスピーカ３０ａおよび第２フィルムスピーカ３０ｂより高くなる。また、第１スピーカホルダ４６ａのリブ９０では、上側に４ヶ所、下側に４ヶ所、右側に４ヶ所の合計１２か所の切欠き９２が設けられている。また、第１フィルムスピーカ３０ａと繋がる配線を通すために、第１スピーカホルダ４６ａのリブ９０の右側には配線用凹部９４が設けられている。同様に、第２スピーカホルダ４６ｂのリブ９０では、上側に４か所、下側に４か所、左側に４か所の合計１２か所の切欠き９２が設けられ、配線用凹部９４がリブ９０の左側に設けられている。ただし、切欠き９２の数やサイズ（長さまたは幅）はこの実施例のものに限られない。
【００８１】
図９（Ｂ）を参照して、第１スピーカホルダ４６ａおよび第２スピーカホルダ４６ｂに第１フィルムスピーカ３０ａおよび第２フィルムスピーカ３０ｂが取り付けられると、リブ９０が第１フィルムスピーカ３０ａおよび第２フィルムスピーカ３０ｂの周囲を囲んだ状態で、第１スピーカホルダ４６ａおよび第２スピーカホルダ４６ｂが第１フィルムスピーカ３０ａおよび第２フィルムスピーカ３０ｂを保持することになる。
【００８２】
図１０は図９（Ｂ）に示す第１スピーカホルダ４６ａおよび第２スピーカホルダ４６ｂを裏側から見た状態であり、かつ取り付け枠１４の表側に二次電池４４が配置されている状態の一例を示す図解図である。この状態では、第１スピーカホルダ４６ａおよび第２スピーカホルダ４６ｂの各放音孔７４から第１フィルムスピーカ３０ａおよび第２フィルムスピーカ３０ｂの正面が見えている。また、第１フィルムスピーカ３０ａおよび第２フィルムスピーカ３０ｂは二次電池４４の裏側に配置された状態となる。
【００８３】
図１１は図１０の線ＸＩ−ＸＩにおける断面図であり、主として第１フィルムスピーカ３０ａを保持する第１スピーカホルダ４６ａのリブ９０の断面を示す。図１１を参照して、リブ９０の上端面（図１１では下側）は二次電池４４の裏面と対向している。また、リブ９０は保持している第１フィルムスピーカ３０ａよりも高いため、この断面図では、第１フィルムスピーカ３０ａの略全体がリブ９０によって隠れており、その一部が切欠き９２を通して確認できる状態である。そして、第１フィルムスピーカ３０ａよりも高いリブ９０の上端面が二次電池４４に対面しているため、二次電池４４と第１フィルムスピーカ３０ａとの間に間隙が確保される。つまり、二次電池４４が充放電を繰り返すことによって経時的に膨れたとしても、リブ９０がストッパのように機能して膨れた二次電池４４の主面にリブ９０の上端面が接触するため、二次電池４４の主面はそれ以上に第１フィルムスピーカ３０ａの方へ変位することは出来ず、したがって、リブ９０によって第１フィルムスピーカ３０ａと二次電池４４との間の間隙が安定的に確保される。
【００８４】
また、リブ９０によって第１フィルムスピーカ３０ａの周囲が囲われていても、切欠き９２を通して、第１フィルムスピーカ３０ａおよび第２フィルムスピーカ３０ｂを収容したリブ９０の内側と外側とが連通するため、第１フィルムスピーカ３０ａの背面容積を十分に確保でき、第１フィルムスピーカ３０ａの音響性能を向上させることが出来る。
【００８５】
なお、第１スピーカホルダ４６ａのリブ９０の上側および左側と、第２スピーカホルダ４６ｂのリブ９０および第２フィルムスピーカ３０ｂとについては、図１１と略同じであるため、詳細な図面は省略する。
【００８６】
また、図１２を参照して、他の実施例では、第１フィルムスピーカ３０ａの音圧レベルをさらに向上させるために、接着剤９６などの固定部ないし固定手段によって第１スピーカホルダ４６ａのリブ９０が二次電池４４に固定（接着）される。つまり、実施例のような携帯電話機１０内で最大の重量と高い剛性を持つ二次電池４４を利用し、第１スピーカホルダ４６ａを二次電池４４上に固定する。
【００８７】
なお、図示は省略したが、第１スピーカホルダと同様、接着剤９６などによって第２スピーカホルダ４６ｂのリブ９０が二次電池４４に接着される。
【００８８】
このように、図１２の実施例では、リブ９０が二次電池４４に固定されてリブ９０と二次電池４４とが一体化されるので、第１スピーカホルダ４６ａおよび第２スピーカホルダ４６ｂの剛性が二次電池４４の剛性で補強されて第１スピーカホルダ４６ａおよび第２スピーカホルダ４６ｂの剛性がさらに高まる。その結果、第１フィルムスピーカ３０ａおよび第２フィルムスピーカ３０ｂの振動に伴う、第１スピーカホルダ４６ａおよび第２スピーカホルダ４６ｂの振動が抑制され、結果的に、第１フィルムスピーカ３０ａおよび第２フィルムスピーカ３０ｂの音圧レベルが向上する。
【００８９】
特に、第１スピーカホルダ４６ａおよび第２スピーカホルダ４６ｂを二次電池４４に固定することで、二次電池４４が充放電を繰り返すことによって経時的に膨らむという現象に対しても、第１フィルムスピーカ３０ａおよび第２フィルムスピーカ３０ｂと二次電池４４との距離を一定に保つことが出来る。これにより、第１フィルムスピーカ３０ａおよび第２フィルムスピーカ３０ｂの背面容量の変化を抑制することが出来る。
【００９０】
なお、図１２の実施例において、両面テープや、嵌め合い（係合）機構などを利用して、リブ９０が二次電池４４に固定されてもよい。
【００９１】
さらに、上述の実施例では、基板４８が第１部分５０、第２部分５２および第３部分５４で構成されていたが、この基板４８はさまざまに変形可能である。
【００９２】
たとえば、基板４８は一枚の大きな矩形の基板として形成され、取り付け枠１４の下で、取り付け枠１４と重なるように配置されてもよい。その場合、第１フィルムスピーカ３０ａおよび第２フィルムスピーカ３０ｂの厚みの中に基板４８の厚みが含まれることによる薄型化は期待できないが、第１スピーカホルダ４６ａおよび第２スピーカホルダ４６ｂを分けて設ける必要がないので、連結部材５６を用いなくても第１スピーカホルダ４６ａおよび第２スピーカホルダ４６ｂを両持ち構造のものとして剛性を高めることが出来る。
【００９３】
あるいは、第２部分５０だけに相当する基板であってもよい。この場合も、連結部材５６を省略して元々一体化されている第１スピーカホルダ４６ａおよび第２スピーカホルダ４６ｂを形成することが出来る。
【００９４】
また、本実施例では、第１フィルムスピーカ３０ａ、第２フィルムスピーカ３０ｂおよびリブ９０の形状を矩形としたが、その他の実施例では、一方または両方が矩形に限らず、丸型や他の形状であってもよい。
【００９５】
また、本実施例では、第１フィルムスピーカ３０ａおよび第２フィルムスピーカ３０ｂの周囲を囲うように、つまり全周に亘ってリブ９０を形成したが、さらにその他の実施例では、第１フィルムスピーカ３０ａおよび第２フィルムスピーカ３０ｂの少なくとも一辺に相当するリブ９０があればよい。すなわち、リブ９０は第１フィルムスピーカ３０ａおよび第２フィルムスピーカ３０ｂの周囲を囲っていなくてもよい。
【００９６】
上述の実施例では、２つのフィルムスピーカ３０ａ，３０ｂを用いたが、携帯端末をさらに小型化するか、あるいは内部空間をさらに大きくする場合には、フィルムスピーカ３０は１つだけでもよい。この場合には、ハウジング部材の主面に１つだけ第１放音孔２４ａが形成され、ハウジング部材の側面にはその第１放音孔２４ａと対応する位置に１つだけ第２放音孔２４ｂが形成される。このように、フィルムスピーカ３０を１つだけ使用した場合でも、第１放音孔２４ａおよびその第１放音孔２４ａとは或る程度距離がある第２放音孔２４ｂの両方から音が出力されるので、第１放音孔２４ａだけの場合に比べて、臨場感がよい。
【００９７】
そして、本明細書中で挙げた、具体的な数値は、いずれも単なる一例であり、製品の仕様変更などに応じて適宜変更可能である。
【符号の説明】
【００９８】
１０    …  携帯電話機
１２    …  バックパネル
１４    …  取り付け枠
１６    …  フロントパネル
１８    …  ディスプレイ
２４ａ，２４ｂ    …  第１放音孔、第２放音孔
３０ａ，３０ｂ    …  第１フィルムスピーカ、第２フィルムスピーカ
４０    …  シールド板
４２    …  インナシャーシ
４４    …  二次電池
４６ａ，４６ｂ    …  第１スピーカホルダ、第２スピーカホルダ
４８    …  基板
５０    …  第１部分
５２    …  第２部分
５４    …  第３部分
５６    …  連結部材
６０    …  内壁面
６２    …  凹部
６４    …  内壁面
６６    …  外方の部分
７０ａ，７０ｂ    …  １対の縦枠
７２ａ，７２ｂ    …  １対の横枠
８２    …  係止部
９０    …  リブ
９２    …  切欠き
９６    …  接着剤
【図１】
2015103959.tif 000003
【図２】
2015103959.tif 000004
【図３】
2015103959.tif 000005
【図４】
2015103959.tif 000006
【図５】
2015103959.tif 000007
【図６】
2015103959.tif 000008
【図７】
2015103959.tif 000009
【図８】
2015103959.tif 000010
【図９】
2015103959.tif 000011
【図１０】
2015103959.tif 000012
【図１１】
2015103959.tif 000013
【図１２】
2015103959.tif 000014